(57)【要約】【課題】スリンガー２およびリップシール３の組み合わせよりなる所謂ＰＡＣタイプの密封装置１において、シール性能を向上させる。【解決手段】相対回転する二部材のうちの一方に取り付けられて回転するスリンガー２と、他方に取り付けられてスリンガー２に摺動自在に密接するリップシール３とを有する密封装置１において、スリンガー２およびリップシール３に囲まれる環状空間８に含油シール９を配置する。含油シール９は例えば、油を含ませたスポンジよりなり、浸入してくる泥水とこの含油シール９に含まれる油とが相互の分離作用を発揮する。【選択図】図１
2006083981.tif 000002
【特許請求の範囲】
【請求項１】
相対回転する二部材のうちの一方に取り付けられて回転するスリンガー（２）と、他方に取り付けられて前記スリンガー（２）に摺動自在に密接するリップシール（３）とを有する密封装置（１）において、
前記スリンガー（２）およびリップシール（３）に囲まれる環状空間（８）に含油シール（９）を配置したことを特徴とする密封装置。
【請求項２】
請求項１の密封装置において、
含油シール（９）は、油を含ませたスポンジよりなることを特徴とする密封装置。
【発明の詳細な説明】
【技術分野】
【０００１】
本発明は、密封装置に関するものである。本発明の密封装置は、例えば自動車関連分野においてハブベアリング用シールとして用いられ、または農機、建機もしくは汎用機械等において泥水シールとして用いられる。
【背景技術】
【０００２】
従来から、自動車関連分野に用いられるハブベアリング用シールとして、図２に示す所謂ＰＡＣタイプの密封装置（パックシール）１が知られており、この密封装置１は、ベアリング内輪２１に取り付けられてベアリング内輪２１とともに回転するスリンガー２と、ベアリング外輪２２に取り付けられてスリンガー２に摺動自在に密接するリップシール３とを有している。
【０００３】
スリンガー２は、金属材よりなり、筒状の取付部２ａの軸方向一端に径方向外方へ向けて環状の平面部２ｂを一体成形したものであって、取付部２ａをもってベアリング内輪２１の外周面に嵌着されている。
【０００４】
リップシール３は、取付環４と、取付環４に被着されたゴム状弾性体５との組み合わせにより構成されている。取付環４は、金属材よりなり、筒状の取付部４ａの軸方向他端に径方向内方へ向けて環状の平面部４ｂを一体成形したものであって、取付部４ａをもってベアリング外輪２２の内周面に嵌着されている。ゴム状弾性体５は、取付環４の取付部４ａの内周面に被着された内周ゴム部５ａと、取付環４の平面部４ｂの内側端面に被着された端面ゴム部５ｂと、この端面ゴム部５ｂに支持されてスリンガー２の平面部２ｂの内側端面に摺動自在に密接するシールリップ（サイドリップ）５ｃと、同じく端面ゴム部５ｂに支持されてスリンガー２の取付部２ａの外周面に摺動自在に密接するシールリップ（ラジアルリップ）５ｄとを一体に有している。
【０００５】
上記構成の密封装置１は、スリンガー２の回転による振り切り効果により、密封対象物である泥水がシールリップ（サイドリップ）５ｃの方へ浸入しにくい構造となっているが、実車の構造上、泥水条件が厳しい部位に使用されていることから、シールリップ（サイドリップ）５ｃまで泥水が浸入し、シールリップ（サイドリップ）５ｃが摩耗し、泥水漏れ（ベアリングへの泥水浸入）が発生する問題を抱えている。
【０００６】
また、本願に対する他の従来技術として、本願出願人は先に、図３に示すように、スリンガー２の平面部２ｂの外周端部に軸方向一方へ向けて外周筒部２ｃを一体成形してこの外周筒部２ｃと筒状ゴム部５ａ間に非接触のラビリンスシール６を設けた密封装置１を提案しており、この密封装置１によれば、ラビリンスシール６を追加したことによってシール性能を高めることができる（特許文献１参照）。
【０００７】
しかしながら、この先行技術に開示されているのは「外周筒部の形成によるラビリンスシールの追加」であって、本発明のように「スリンガーおよびリップシールに囲まれる環状空間に含油シールを配置する」ものではない。
【０００８】
【特許文献１】実開平０７−０１０６３０号公報
【発明の開示】
【発明が解決しようとする課題】
【０００９】
本発明は以上の点に鑑みて、スリンガーおよびリップシールの組み合わせよりなる所謂ＰＡＣタイプ等の密封装置において、シール性能を一層向上させることができる密封装置を提供することを目的とする。
【課題を解決するための手段】
【００１０】
上記目的を達成するため、本発明の請求項１による密封装置は、相対回転する二部材のうちの一方に取り付けられて回転するスリンガーと、他方に取り付けられて前記スリンガーに摺動自在に密接するリップシールとを有する密封装置において、前記スリンガーおよびリップシールに囲まれる環状空間に、含油シールを配置したことを特徴とするものである。
【００１１】
また、本発明の請求項２による密封装置は、上記した請求項１の密封装置において、含油シールは、油を含ませたスポンジよりなることを特徴とするものである。
【００１２】
上記構成を備えた本発明の請求項１による密封装置においては、スリンガーおよびリップシールに囲まれる環状空間に含油シールを配置したことから、浸入してくる泥水と含油シールに含まれる油とが相互の分離作用を発揮する。この分離作用は、ある種の撥水作用であるとも云うことができ、泥水の浸入を有効に抑えることが可能となる。
【００１３】
また、この含油シールとしては、請求項２に記載したように、油を含ませたスポンジを用いるのが好適であり、スポンジには、泥水中の泥を濾過する作用もある。
【発明の効果】
【００１４】
本発明は、以下の効果を奏する。
【００１５】
すなわち、本発明の請求項１による密封装置においては、上記したようにスリンガーおよびリップシール間に配置した含油シールによって、浸入してくる泥水と含油シールに含まれる油とが相互の分離作用を発揮することから、泥水の浸入を有効に抑えることができ、これによりシール性能を向上させることができる。
【００１６】
また、請求項２による密封装置のように、含油シールが油を含ませたスポンジよりなるものであれば、スポンジが泥水中の泥を濾過する作用を発揮することから、シール性能を一層向上させることができる。そして、このように泥水の浸入が抑制されれば、泥によるリップシールの摩耗を抑制することもできる。
【発明を実施するための最良の形態】
【００１７】
尚、本発明には、以下の実施形態が含まれる。
【００１８】
ベアリングシールは、ベアリングの内輪および外輪間に使用するものであり、シールスペースが小さく、またトルク増大が懸念されることから、リップの枚数を増やすことによる泥水密封性の向上には限界がある。このことから、サイドリップ泥水側の有効スペースに、スリンガーおよびスリンガーに押さえ付けられたサイドリップに接触しないように、例えば油を含んだ緻密なスポンジのようなものを設置し、浸入してきた泥水とスポンジに含まれた油との分離性により、泥水を浸入しにくい構造にする。
【実施例】
【００１９】
つぎに本発明の実施例を図面にしたがって説明する。
【００２０】
図１は、本発明の実施例に係る密封装置１の要部断面を示している。当該実施例に係る密封装置１は、自動車関連分野においてハブベアリング用シール（ハブシール）として用いられるものであって、以下のように構成されている。
【００２１】
すなわち先ず、当該密封装置１は、相対回転する二部材のうちの一方であるベアリング内輪（図示せず）に取り付けられてベアリング内輪とともに回転するスリンガー２と、二部材のうちの他方であるベアリング外輪（図示せず）に取り付けられてスリンガー２に摺動自在に密接するリップシール（シール部材とも称する）３とを有している。
【００２２】
スリンガー２は、板金等の金属材よりなり、筒状の取付部２ａの軸方向一端（図上上端）に径方向外方（図上左方）へ向けて環状の平面部２ｂを一体成形して断面略Ｌ字形に形成されており、取付部２ａをもってベアリング内輪の外周面に嵌着される。
【００２３】
一方、リップシール３は、取付環４と、この取付環４に被着されたゴム状弾性体５との組み合わせにより構成されている。取付環４は、板金等の金属材よりなり、筒状の取付部４ａの軸方向他端（図上下端）に径方向内方（図上右方）へ向けて環状の平面部４ｂを一体成形して断面略Ｌ字形に形成されており、取付部４ａをもってベアリング外輪の内周面に嵌着される。ゴム状弾性体５は、取付環４の取付部４ａの内周面に被着された内周ゴム部５ａと、取付環４の平面部４ｂの内側端面に被着された端面ゴム部５ｂと、この端面ゴム部５ｂに支持されてスリンガー２の平面部２ｂの内側端面に摺動自在に密接するシールリップ（サイドリップ）５ｃと、同じく端面ゴム部５ｂに支持されてスリンガー２の取付部２ａの外周面に摺動自在に密接するシールリップ（ラジアルリップ）５ｄとを一体に有している。
【００２４】
スリンガー２は、その平面部２ｂの外周縁部をもってリップシール３における取付環４の取付部４ａおよびゴム状弾性体５の内周ゴム部５ａの内周面に近接配置されているので、ここに環状の開口部６が設定され、この開口部６が泥水浸入口となる。
【００２５】
リップシール３における両シールリップ５ｃ，５ｄ間の環状空間７には、潤滑グリース（図示せず）が封入されている。
【００２６】
また、当該実施例においては特に、スリンガー２およびリップシール３に囲まれる環状空間８であってシールリップ（サイドリップ）５ｃの外周側の環状空間８に、含油シール９が配置されている。
【００２７】
この含油シール９は、環状に形成したスポンジに適量の油を含ませたもの（含油スポンジ）であって、リップシール３に取り付けられ、すなわちリップシール３における取付環４の取付部４ａの内周側にゴム状弾性体５の内周ゴム部５ａを介して嵌合等の手段によって取り付けられている。
【００２８】
また、この含油シール９は、上記スリンガー２およびリップシール３間の開口部６をその内側（図上下側）から閉塞するように配置されており、但し、摺動トルクを増大させないようにスリンガー２に対しては非接触とされ、スリンガー２との間には環状を呈する極小間隔のラビリンス部１０が設定されている。このため、含油シール９の端面９ａは、スリンガー２の平面部２ｂと平行な平面状に形成されている。
【００２９】
また、この含油シール９は、シールリップ（サイドリップ）５ｃの作動を阻害しないようにこのシールリップ（サイドリップ）５ｃに対しても非接触とされており、このため、含油シール９の内周面９ａは、その内径寸法がスリンガー２の平面部２ｂに近付くにしたがって徐々に拡大するよう円錐面状の傾斜面に形成されている。
【００３０】
上記構成の密封装置１においては、スリンガー２およびリップシール３に囲まれる環状空間８に含油シール９が配置されているために、開口部６から浸入してくる泥水とこの含油シール９に含まれる油とが相互の分離作用を発揮する。含油シール９は開口部６を内側から閉塞するように配置されているので、泥水は環状空間８に浸入しにくい。また含油シール９およびスリンガー２間にはラビリンス部１０が設定されているので、泥水は該部も通りにくい。したがって、泥水の浸入を有効に抑制することができ、よってシール性能を向上させることができる。
【００３１】
また、含油シール９がスポンジよりなり、泥水中の泥を濾過する作用を奏するために、この点からもシール性能を向上させることができる。
【００３２】
泥水中に含まれる泥が浸入しにくくなれば、シールリップ（サイドリップ）５ｃが摩耗するのを抑制することもできる。
【００３３】
更に、機内側の潤滑グリースの流出防止も期待することができ、グリース切れによるリップ摩耗を抑制することもできる。
【００３４】
また、上記泥水シール９には、その内周面９ｂが円錐面状の傾斜面に形成されているために、浸入した泥水を外部へ排出させる効果もある。すなわち、泥水が万一、含油シール９を通過したとしても、軸上部では、含油シール９およびシールリップ（サイドリップ）５ｃ間の空間８におけるリップ５ｃ根元部近傍部位に泥水を導入し、軸下部では、この内周面９ｂが傾斜面状であるが故に、空間８に浸入した泥水を案内して外部へ排出させることができる。
【図面の簡単な説明】
【００３５】
【図１】本発明の実施例に係る密封装置の要部断面図
【図２】従来例に係る密封装置の装着状態を示す半裁断面図
【図３】他の従来例に係る密封装置の要部断面図
【符号の説明】
【００３６】
１  密封装置
２  スリンガー
２ａ，４ａ  取付部
２ｂ，４ｂ  平面部
３  リップシール
４  取付環
５  ゴム状弾性体
５ａ  内周ゴム部
５ｂ  端面ゴム部
５ｃ，５ｄ  シールリップ
６  開口部
７，８  空間
９  含油シール
９ａ  端面
９ｂ  内周面
１０  ラビリンス部
【図１】
2006083981.tif 000003
【図２】
2006083981.tif 000004
【図３】
2006083981.tif 000005